(57)【要約】本発明は、定置形ガスタービン（１２）用圧縮機（１０）のハウジング（３２）の熱特性をロータ（２４）に合わせるための対策に関し、ガスタービン構造部の冷却のために圧縮機の空気流（１８）から部分流が分流される。圧縮機（１０）で分流された部分流（４２）のハウジング（３２）の内側面（５４）との接触が、媒体流路（１４）を環状に取囲む集合室（４４）に巧妙に配置された分離要素（４６）によって大幅に制限され、ないしは妨げられる。これによって、コールドスタート時のガスタービン（１２）ないしハウジング（３２）の早期の加熱を防ぐことができる。【選択図】図１
2011509372.tif 000002
【特許請求の範囲】
【請求項１】
ガスタービン（１２）用の圧縮機（１０）であって、
環状断面の外壁（２６）で半径方向外側が区画され被圧縮媒体（１８）を流す環状断面の媒体流路（１４）と、
前記外壁（２６）を取囲み、この外壁との間に配置された少なくとも１つの集合室（４４）を形成する圧縮機ハウジング（３２）と、
前記媒体流路（１４）を流れる媒体（１８）の一部（４２）を前記集合室（４４）に分流するために外壁（２６）に設けられた少なくとも１つの分流開口（４０）と、
前記媒体（１８）から分流された部分流（４２）を前記ハウジング３２から排出するためにハウジング（３２）に設けられた少なくとも１つの開口（６４）とを有し、
前記集合室（４４）内にこの集合室（４４）を半径方向内側の部分室（４８）と半径方向外側の部分室（５０）とに分離する分離要素（４６）が設けられ、これにより前記内側の部分室（４８）を流れる媒体（１８）のハウジング（３２）への熱侵入をこの分離要素（４６）がない場合に比べて大幅に低減し、
前記分離要素（４６）が少なくとも１つの排出開口（６０）を有し、この排出開口がチャネル（６２）を介して媒体（１８）の前記部分流（４２）をハウジング（３２）から排出するために、ハウジング（３２）に設置された開口（６４）と接続されている圧縮機（１０）において、
前記外側の部分室（５０）が大部分が密閉された、好ましくは完全に密閉された室として形成され、この室が前記内側の部分室（４８）と前記ハウジング（３２）との間の絶縁中空室として作用することを特徴とするガスタービン用圧縮機。
【請求項２】
前記集合室（４４）が、圧縮機（１０）の軸方向から見て、それぞれが前記ハウジング（３２）から前記外壁（２６）まで延びる２つの側壁（３５）で区画されている請求項１記載の圧縮機。
【請求項３】
前記分離要素（４６）が薄板状であり、前記両側壁（３５）のそれぞれが１つの溝を有し、これらの溝が互いに対向しその中に前記薄板状の分離要素（４６）が取り付けられている請求項２記載の圧縮機。
【請求項４】
前記分離要素（４６）が前記外壁（２６）の外側面（５６）よりもハウジング（３２）の内側面（５４）に接近して設置されている請求項１から３の１つに記載の圧縮機。
【請求項５】
前記分離要素（４６）が均等に分布された比較的小さい断面の複数の孔を有している請求項１から４の１つに記載の圧縮機。
【請求項６】
前記外壁（２６）に放射状に配列された複数の分流開口を有する請求項１から５の１つに記載の圧縮機。
【請求項７】
前記集合室（４４）が圧縮機（１０）の媒体流路（１４）の軸方向の１箇所だけをカバーしている請求項１から６の１つに記載の圧縮機。
【請求項８】
前記軸方向箇所が媒体（１８）の流れ方向に関して後方の圧縮段に設けられている請求項７に記載の圧縮機。
【請求項９】
複数の集合室を有し、１つの集合室だけに、または複数の集合室に、あるいはすべての集合室にそれぞれ１つの分離要素（４６）が設置されている請求項１から８の１つに記載の圧縮機。
【請求項１０】
請求項１から９の１つに記載の圧縮機（１０）を備えた定置形軸流ガスタービン。
【発明の詳細な説明】
【技術分野】
【０００１】
本発明は、環状断面の外壁で半径方向外側が区画され被圧縮媒体を流す環状断面の媒体流路と、外壁を取囲みこの外壁との間に配置された少なくとも１つの集合室を形成する圧縮機ハウジングと、媒体流路を流れる媒体の一部を集合室に分流するために外壁に設けられた少なくとも１つの分流開口と、媒体の分流された部分をハウジングから排出するためのハウジングに設けられた少なくとも１つの開口とを備えたガスタービン用の軸流圧縮機に関する。
【背景技術】
【０００２】
ガスタービンが高温ガスを吹き付けられる部品をタービン部あるいは燃焼器に有しており、これらが冷却空気で冷却されることは公知である。これらの部品は高温ガスの高温に長期間耐えるべく冷却される。冷却空気としてはよく知られているように圧縮機の空気が使用され、この圧縮機空気は圧縮機の様々な箇所でその主流から取出すことができる。図3はガスタービン１２の圧縮機１０におけるハウジング側の冷却空気取出し部を縦断面で示している。圧縮された空気４２は環状の媒体流路１４を流れる空気１８から放射状に配置された一連の分流開口４０を介して取出され、これらの開口は媒体流路１４を外側で区画する外壁２６に配置されている。すべての分流開口４０は１つの環状室４４に通じ、この環状室は外壁２６の外側に配置されており、そこに分流された空気が集められる。この室４４自体もその半径方向外側が圧縮機１０のハウジング３２で取囲まれ、区画されている。さらにハウジング３２の周上には少数の、例えば３個或いは４個のより大きな開口６４が分布し、これらの開口６４を通じて環状室４４に導かれた圧縮空気の一部４２を排出することができ、これにより、分流された空気をさらに外部に設置された、この図では示されていない、ガスタービンまたは燃焼器の配管を介して、目的どおりに高温ガスが吹き付けられる部品の冷却に利用することができる。
【０００３】
圧縮機１０の環状の媒体流路１４には静翼２０と動翼２２がそれぞれ翼輪状に交互に配置され、静翼２０はハウジング側に、すなわち外壁２６に回転しないように固定され、動翼２２は環状の媒体流路１４の内側に、すなわちロータ２４にこれと一緒に回転するように固定されている。動翼２２の尖端部は空隙３６を保って媒体流路１４の外壁に対面し、同様に静翼２０の尖端部も媒体流路１４の内壁２４に対面している。ロータ２４とステータ間のこの空隙を各々の運転状態においてできるだけ小さく維持するためには、ロータ２４とステータをできるだけ良好に熱的に平衡させることが必要である。
【０００４】
ロータは質量が大きく且つ内側寄りの媒体流れがより小さいので、ハウジングよりも熱的にゆっくり変化し、これによりハウジングよりもゆっくり膨張する。必要な半径方向および軸方向の空隙を設計する際には、特に例えばコールドスタートやガスタービン停止のような過渡的な運転条件において生じる半径方向および軸方向の延びを考慮しなければならない。この膨張は要求される構造の大きさ、装置の強固さおよび特にガスタービン効率に対して全体的にマイナスの影響を及ぼす。
【０００５】
また、特許文献１からは空気取出しを備えた航空機ガスタービン用軸流圧縮機が知られている。ハウジングに設置された空気分流開口の前方に、半径方向に積み重ねられた２つの環状室があり、これらの環状室は共通の隔壁により互いに分離されている。ここで内側の環状室の内側区画壁は圧縮機の媒体流路を形成する環状の壁で構成されている。この環状壁にも隔壁にも複数の開口があり、これらの開口を通じて圧縮機から分流された部分流が分岐される。例えば圧縮機動翼のハウジングでの磨耗により生じ媒体主流で運ばれる粒子を捕捉し方向転換すべく、環状壁の開口と隔壁の開口は互いに軸方向に位置をずらして設置されている。というのはこれらの粒子が比較的薄いハウジングの外壁に衝突することを避けなければならないからである。
【０００６】
さらに特許文献２からは複数の分流開口を備えた圧縮機が知られており、圧縮機の媒体主流から分流された空気流が１つの環状室を介して導かれる。周囲に沿って異なる熱負荷を受けるのを避けるべく、各々の分流開口の集合室側に方向転換板が設けられ、この方向転換板は周囲方向に扇形に延びている。これらのガイド板は分流開口領域にのみ局所的に設けられている。この方向転換板により、流入する空気が集合室においてハウジングの内面に沿って流れるのを防ぐことができ、これによりハウジングの不均一な熱負荷を低減することができる。
【０００７】
また特許文献３からはタービンの環状案内セグメントが知られており、このセグメントはその内部に配置されたU字形の板により衝突冷却可能である。
【先行技術文献】
【特許文献】
【０００８】
【特許文献１】米国特許第５２０３１６２号明細書
【特許文献２】米国特許第５１６０２４１号明細書
【特許文献３】米国特許第４３０３３７１号明細書
【発明の概要】
【発明が解決しようとする課題】
【０００９】
本発明の課題は、改善された効率を有するガスタービン用圧縮機およびガスタービンを提供することにある。
【課題を解決するための手段】
【００１０】
この課題は集合室に１つの分離要素が備えられ、この分離要素が集合室を半径方向内側の部分室と半径方向外側の部分室に分離することによって解決される。
【００１１】
本発明は、従来は複数の集合室に、すなわち複数の分流室に急速に高い伝熱係数が生じ、これらの伝熱係数がハウジング壁の急速な加熱およびこれに起因する急速な熱膨張をもたらし、他方ではロータの加熱は従来は非常にゆっくり行われるという知見に基づいている。
【００１２】
このことから圧縮機側にハウジングとロータのスラスト軸受を有するガスタービンにおいて、ハウジングとロータの全体としての軸方向の膨張が上記の問題に関連していた。コールドスタート時には圧縮機部分のハウジングの急速な加熱がタービンユニット部分のハウジングのずれをも生じさせていた。しかし、ロータはその熱容量が大きいのでハウジングよりもゆっくりと熱くなり、これ故にタービンユニット部分におけるロータの熱膨張による軸方向のずれはタービンハウジングにおけるよりも少ないものであった。機械軸に沿って延び、高温ガスの流れ方向に円錐状に広がるタービンユニットの高温ガス流路と関連して、このずれの違いがハウジングによるタービン動翼の半径方向空隙の狭隘化をもたらす。これはハウジングとロータの加熱中にタービンハウジングのタービンロータ部に対する軸方向におけるタービン出口側に向いたずれが生じることによるものであった。しかし、このずれはロータの加熱と膨張が終わった後で再びバランスする。この空隙の狭まりを考慮して、タービンユニットにおいて、すなわちタービン動翼とその尖端部に向き合っている固定された案内輪との間で、半径方向の空隙が比較的大きく構成された。
【００１３】
そこで本発明では、集合室を半径方向内側の部分室と半径方向外側の部分室に分離することにより、コールドスタート時の圧縮機ハウジングの加熱速度を調整することを提案する。取出された部分流のハウジングの内側に沿った強制対流を避ける事により、そこでの媒体とハウジング壁との伝熱係数を大きく減少することができる。ハウジングの内側はもはや、分流されその大部分が非常に熱い部分流で直接に対流を浴びることは無い。大部分が密閉された、好ましくは完全に密閉された室、すなわち半径方向外側の部分室がハウジングの内側面と分流された空気との間にあり、この空気中でのみ自由対流が生じうる。その点でこの外側の部分室は内側部分室とハウジングとの間の分離中空室の役割を果たす。したがって、分離要素はハウジングの遮蔽要素であり、これにより内側部分室内を流れる媒体のハウジングへの熱侵入を、分離要素のない集合室と比べて、大幅に減じることができる。
【００１４】
特に、集合室内を流れる媒体とハウジングとの伝熱係数は減少され、これによってコールドスタート時に圧縮機のハウジングは分離要素がない場合よりもゆっくり熱くなる。こうして、ロータとステータの熱的な挙動を一致させることができる。この熱的な挙動の一致はロータとステータの加熱が同時に且つ同じ大きさで生じるように作用する。
【００１５】
本発明によるこの分離要素により、圧縮機の主流から分流された部分流の大部分がハウジングの内側面に沿って流れることが妨げられる。これによりハウジングの加熱とその軸方向の膨張が遅らされ、このことがハウジングとロータの熱的な挙動、すなわち熱膨張が一致するように作用する。膨張によるハウジングの軸方向ずれと膨張によるロータの軸方向ずれの時間間隔を非常に小さくすることができる。
【００１６】
本発明により、タービンハウジングとタービンロータ部、特にロータ動翼との間の前述した過渡的な軸方向の相対的なずれをコールドスタート期間中に小さくすることができる。というのは、特に圧縮機のハウジングがロータと同様に暖められ、これによりロータとステータの熱膨張が時間的に互いに整合されるからである。これによりタービンの半径方向空隙（コールド空隙）をより小さく設計することができ、このことは定常運転時に半径方向空隙に基づく損失を減少させ、ガスタービンの効率を大いに向上させる。
【００１７】
これにより同様に、圧縮機翼の自由端とこれに対向する壁との間の空隙（コールド空隙）の構造的な大きさを小さくすることができ、このことにより圧縮機ないしガスタービンの定常運転における効率が向上する。
【００１８】
媒体の分流された流れをハウジングないしは集合室から排出するために分離要素は比較的大きな排出開口を有し、この排出開口はチャネルを介してハウジングに設けられた開口と接続されている。これにより、内側部分室を流れる媒体の部分流を集合室ないしハウジングから排出することができる。この場合、外側部分室は、周方向から見て、ハウジング内に設けられた開口を分離要素に設けられた排出開口と接続するチャネルにより遮断されている。この遮断は外側部分室を、周方向に見て、部分的にのみ分割することもできる。
【００１９】
有利な実施形態が従属請求項に示されている。
【００２０】
集合室は、圧縮機の軸方向に見て、それぞれハウジングから外壁まで延びている２つの側壁で区画されているのが好都合である。各々の側壁はそれぞれ部分的にあるいは全体的にハウジング部ないし外壁の取り付け部に形成することができ、ハウジング部と外壁部は溝とばねの様式で互いに結合されている。こうして集合室は全体としてハウジングにより半径方向外側を、媒体流路の外壁により半径方向内側を、そして、２つの側壁により両側面を区画されている。
【００２１】
分離要素が薄板状であり、２つの側壁がそれぞれ１つの溝を有しており、これらの溝が互いに対向しており、これらの溝に薄板状の分離要素がはめ込まれている場合には、集合室は特に簡単に半径方向内側の部分室と半径方向外側の部分室に分離することができる。ハウジングは一般には上半部と下半部に分割されているので、分離要素も組立のために半分に分割しこれらをそれぞれの側壁の溝に挿入し中央点で固定すればよい。この分離要素は加熱された場合には動くように両方の周回する溝に設置されるのが好ましい。これにより分離要素の応力が低減される。この場合、この分離要素はそれぞれ１８０°の大きさの２つの薄板セグメントで構成することができる。しかし、より多くの薄板セグメントを使用することもでき、その場合にはこれらの薄板セグメントは当然ながら、機械軸に対して、１８０°よりも小さい弧状部を有する事になる。
【００２２】
この分離要素を外壁の外側面よりもハウジングの内側面に近づけて設置するのが好ましい。媒体流路から取出された媒体のすべての分流された部分は原理的には内側部分室のみを流れる。冷却に必要な全ての冷却空気質量流を内側部分室を通して流さねばならないので、周方向で見た内側部分室の横断面は外側部分室の横断面よりもずっと大きくなる。内側部分室を適切な寸法、すなわち横断面の大きさとすることにより、分流された冷却空気流の比較的損失の少ない案内が可能となる。
【００２３】
本発明の他の有利な形態によれば、この分離要素は排出開口よりも小さい横断面の均等に分布された複数の孔を有することができる。これにより、分離要素による覆いによりハウジングに局部的に過大な熱応力が生じるのが妨げられる。複数の孔を配置する事により、さらに、分流された部分流とハウジング間の伝熱係数を、孔の数と周に沿っての孔の分布に応じて可変調整することができる。分離要素に複数の孔を設ける事で、分流された空気の更に一部を内側部分室から外側部分室に移動させ、これにより外側部分室で自由対流と強制対流の混合が生じるようにすることが可能となる。こうしてハウジングの材料に過大な熱応力がかからないように伝熱係数を調整することができる。しかし、これらの孔の横断面が小さいので分流された部分流の全部が外側部分室を流れることはできず、またこのことは必ず避けなければならない。
【００２４】
媒体流路から媒体の分流すべき部分をできるだけ均等に集合室に取出すべく、外壁は放射状に配列された複数の分流開口を有している。特にこれにより、集合室に、周に沿って見て、均等に分流された媒体を流すことが可能である。
【００２５】
集合室は圧縮機の媒体流路の軸方向の１箇所だけをカバーするのが好ましい。したがって、環状の媒体流路全体がその設置範囲にわたってその媒体流路を取囲む集合室を備えているのではなく、軸方向の１箇所だけが集合室を備えている。この軸方向箇所が軸流圧縮機の後方の圧縮段に設けられていると特に好ましい。媒体の圧縮の際に上昇する媒体温度に因り、本発明は圧縮機において媒体温度が特に高い軸方向箇所に使用されるのが特に有利である。これは圧縮機の出口側に在る後方の圧縮段である。特にこの軸方向箇所では、コールドスタート時には分流された媒体とハウジングとの間により大きな温度差が生じるので、ハウジングを分流された媒体から絶縁するのが有利である。
【００２６】
圧縮機が軸方向に互いに間隔を隔てた、それぞれが媒体流路を環状に取り囲む複数の集合室を有していることが目的に適っている。この場合には本発明による分離要素は１つの集合室に、または複数の集合室に、あるいはすべての集合室に設けることができる。
【００２７】
このように本発明の適用は複数の後方圧縮段に限定されるものではなく、複数の中央圧縮段にも、あるいは目的に合うならば複数の前方圧縮段にも使用できる。
以下の図で更なる構造的な特徴と利点を説明する。
【図面の簡単な説明】
【００２８】
【図１】本発明によるガスタービン用圧縮機の長手方向断面図。
【図２】図１による圧縮機の横方向断面図。
【図３】従来技術によるガスタービン用圧縮機の長手方向断面図。
【発明を実施するための形態】
【００２９】
図１は本発明に基づくガスタービン１２用の圧縮機１０の出口側部分を長手方向で示したものである。図３に示された従来技術による圧縮機１０と同様にこの圧縮機は機械軸１６に沿って延びる媒体流路１４を有している。この媒体流路１４に機械軸１６に沿って複数の静翼２０と複数の動翼２２が交互にそれぞれ翼輪として配置されている。媒体流路１４は半径方向内側がガスタービン１２のロータ２４の表面２３で区画されており、この表面は外皮表面が互いに接している複数のロータ円板２７で構成されている。媒体流路１４は半径方向外側が環状断面の外壁２６で区画されている。この外壁２６はロータ２４を環状に取囲む静翼支持体２８の一部であり、この静翼支持体に圧縮機静翼２０が、図示されていない周方向の鉤止め方式ではめ込まれている。静翼支持体２８はほぼ円筒形の構造と共に２つの周状突起３０を有している。静翼支持体２８は環状のハウジング３２で取囲まれており、このハウジングは軸方向に互いに間隔をあけ半径方向内側に延びる２つの突起３４を介して、半径方向外側に延びる突起３０と結合されている。これらの突起３０と３４は対になってそれぞれ側壁３５を形成している。すなわち、軸方向で両方の側壁３５の間に、且つ半径方向でハウジング３２と外壁２６の間に集合室４４が配置され、この集合室は断面が環状で、圧縮機１０の媒体流路１４を機械軸１６に対して同心状に取囲む。静翼支持体２８とハウジング３２との２つの部分から成る構成の替わりに一体型の構成も在りうる。この場合には集合室は一体化された静翼支持体とハウジングとの結合体の壁に設けられる。
【００３０】
静翼支持体２８の外壁２６に複数の分流開口４０が放射状に配列されており（図２）、図１の長手断面ではその内の１つだけが示されている。この分流開口４０を通って矢印４２に従って媒体流路１４で圧縮される媒体１８、すなわち空気の一部が分流される。
【００３１】
集合室４４に分離要素４６が設置されている。この分離要素４６は集合室４４を半径方向内側の部分室４８と半径方向外側の部分室５０に区分する。ここで半径方向で内側と外側はそれぞれ機械軸１６から見たものである。両方の側壁３５にはそれぞれ全体としては環状の溝が設けられており、これらは互いに向き合っている。この分離要素４６は組立のために互いに対向した溝に差し込まれ、加熱された場合には動きうるようにそこにとめられている。
【００３２】
分離要素４６とハウジング３２の内側面５４との半径方向間隔は、分離要素４６と外壁２６の外側面５６すなわち分離要素４６と静翼支持体２８の外側面５６との半径方向間隔より著しく小さい。この分離要素４６は図２のように比較的大きな排出開口６０を有しており、この排出開口はチャネル６２を介してハウジング３２に設置された開口６４と接続されている。これにより、内側部分室４８を流れる、媒体１８の分流された部分４２をチャネル６２を介してハウジング３２から、ないしは集合室４４から排出することが可能であり、これによって分流された媒体流を前記開口から、図示されていない配管を通じて、ガスタービン１２のタービン部に導くことができる。このタービン部はガスタービン１２の運転期間中の特に長い寿命を達成するために継続的に冷却されねばならない箇所である。
【００３３】
圧縮機１０の集合室４４に分離要素４６を取り付けることにより、一方では全ての分流された部分流４２がハウジング３２の内側面５４に沿って吹き抜けることが妨げられ、一緒に搬送された熱がハウジング３２の材料に特に早く伝わるのが防がれる。他方、複数の分流開口４０を通って半径方向外側に向かって流れる空気が直接ハウジング３２の内側面５４に衝突することが妨げられ、それによりこの内側面を特に急速に加熱することが妨げられる。これにより全体として、コールドスタート時にハウジング３２がガスタービン１２の内部に設置されているロータ２４よりも早く熱くなることが妨げられる。こうしてハウジング３２の熱的挙動がロータ２４の熱的挙動と合わせられ、このことによって両方の要素２４と３２が軸方向のこの領域でほぼ同期して加熱される。こうして静翼２０の尖端部とロータ表面２３との構造的な空隙および動翼２２の尖端部と外壁２６との構造的な空隙をより小さく設計することができ、これはガスタービン１２の定常運転時の空隙損失を大幅に低減する。同時に、ステータとロータ２４の熱的挙動が一致される事により、過渡運転時に生じるタービンユニットにおける半径方向空隙損失が低減される。流れ損失ないし空隙損失の低減により、全体としてガスタービンの効率が向上する。
【００３４】
本発明による分離要素４６の形態によっては、またハウジング３２の内側面５４と静翼支持体２８の外側面５６との間隔の選択によっては、外側部分室５０での自由対流により圧縮機１０のハウジング３２がロータ２４よりもゆっくり熱くなることが起こりうる。この場合には、分流された空気４２の少なくとも小部分を外側部分室５０に導くために、ないしはハウジング３２の内側面に沿って吹き流すために、分離要素４６に均等に分布された更に小さい複数の孔をあけ、これにより、ハウジング３２がロータ２４に比べてあまりに遅く加熱されることを防ぐことができる。
【００３５】
圧縮機１０は原理的には図示された１つの集合室４４だけを有するのではなく、異なった圧力と温度の冷却空気を取出すために、軸方向に互いに隣接した複数の集合室を有することができる。要求に応じて、１つの集合室にのみ、または多くの集合室の中の複数の集合室に、あるいはすべての集合室にそれぞれ１つの分離要素を設けることができ、これにより、分流のハウジング３２の内側面５４との接触を大幅に制限することができ、こうして冷却空気のハウジング３２への熱伝達を遅らせることができる。
【００３６】
外側部分室５０は内側部分室４８と分離要素４６により可能な範囲で気密に分離されればよい。しかし、外側部分室５０は単に絶縁室として、ないしはハウジング３２の加熱を遅らせるために作用するので、完全に気密な分離は必ずしも必要ではない。
【００３７】
本発明は全体として、定置形ガスタービン１２の圧縮機１０のハウジング３２をそのロータ２４と熱的に適合させるための対策に関するものであり、ガスタービン構成部を冷却するために圧縮機の空気流１８から部分流４２が分離される。圧縮機１０において分流された部分流４２のハウジング３２の内側面５４との接触は、媒体流路１４を環状に取囲む集合室４４の中に分離要素４６を巧妙に設置する事により大きく制限され、ないしは全く妨げられ、これにより、圧縮機１０のコールドスタート時にガスタービン１２ないしハウジング３２が早期に加熱されることを防ぐことができる。
【符号の説明】
【００３８】
１０    圧縮機
１２    ガスタービン
１４    媒体流路
１６    機械軸線
１８    媒体の流れ方向
２０    静翼
２２    動翼
２３    ロータ表面
２４    ロータ
２６    外壁
２８    静翼支持体
３０    周状突起
３２    ハウジング
３４    突起
３５    側壁
４０    分流開口
４２    分流
４４    集合室
４６    分離要素
４８    内側部分室
５０    外側部分室
５２    環状溝
５４    ハウジングの内側面
５６    外壁の外側面
６０    分離要素の排出開口
６２    チャネル
６４    ハウジングの開口
【図１】
2011509372.tif 000003
【図２】
2011509372.tif 000004
【図３】
2011509372.tif 000005
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
ガスタービン（１２）用の圧縮機（１０）であって、
環状断面の外壁（２６）で半径方向外側が区画され被圧縮媒体（１８）を流す環状断面の媒体流路（１４）と、
前記外壁（２６）を取囲み、この外壁との間に配置された少なくとも１つの集合室（４４）を形成する圧縮機ハウジング（３２）と、
前記媒体流路（１４）を流れる媒体（１８）の一部（４２）を前記集合室（４４）に分流するために外壁（２６）に設けられた少なくとも１つの分流開口（４０）と、
前記媒体（１８）から分流された部分流（４２）を前記ハウジング３２から排出するためにハウジング（３２）に設けられた少なくとも１つの開口（６４）とを有し、
前記集合室（４４）内にこの集合室（４４）を半径方向内側の部分室（４８）と半径方向外側の部分室（５０）とに分離する分離要素（４６）が設けられ、これにより前記内側の部分室（４８）を流れる媒体（１８）のハウジング（３２）への熱侵入をこの分離要素（４６）がない場合に比べて大幅に低減し、
前記分離要素（４６）が少なくとも１つの排出開口（６０）を有し、この排出開口がチャネル（６２）を介して媒体（１８）の前記部分流（４２）をハウジング（３２）から排出するために、ハウジング（３２）に設置された開口（６４）と接続されている圧縮機（１０）において、
前記外側の部分室（５０）が密閉された室として形成され、この室が前記内側の部分室（４８）と前記ハウジング（３２）との間の絶縁中空室として作用することを特徴とするガスタービン用圧縮機。
【請求項２】
前記集合室（４４）が、圧縮機（１０）の軸方向から見て、それぞれが前記ハウジング（３２）から前記外壁（２６）まで延びる２つの側壁（３５）で区画されている請求項１記載の圧縮機。
【請求項３】
前記分離要素（４６）が薄板状であり、前記両側壁（３５）のそれぞれが１つの溝を有し、これらの溝が互いに対向しその中に前記薄板状の分離要素（４６）が取り付けられている請求項２記載の圧縮機。
【請求項４】
前記分離要素（４６）が前記外壁（２６）の外側面（５６）よりもハウジング（３２）の内側面（５４）に接近して設置されている請求項１から３の１つに記載の圧縮機。
【請求項５】
前記外壁（２６）に放射状に配列された複数の分流開口を有する請求項１から４の１つに記載の圧縮機。
【請求項６】
前記集合室（４４）が圧縮機（１０）の媒体流路（１４）の軸方向の１箇所だけをカバーしている請求項１から５の１つに記載の圧縮機。
【請求項７】
前記軸方向箇所が媒体（１８）の流れ方向に関して後方の圧縮段に設けられている請求項６に記載の圧縮機。
【請求項８】
複数の集合室を有し、１つの集合室だけに、または複数の集合室に、あるいはすべての集合室にそれぞれ１つの分離要素（４６）が設置されている請求項１から７の１つに記載の圧縮機。
【請求項９】
請求項１から８の１つに記載の圧縮機（１０）を備えた定置形軸流ガスタービン。
【国際調査報告】
2011509372.tif 000006
2011509372.tif 000007
2011509372.tif 000008
2011509372.tif 000009
2011509372.tif 000010
2011509372.tif 000011